【事件の表示】
　特願２０００−１５８８１４「原稿読取装置」拒絶査定不服審判事件〔平成１３年１２月　７日出願公開、特開２００１−３３９５７１〕について、次のとおり審決する。
【結　論】
　本件審判の請求は、成り立たない。
【理　由】
１　手続きの経緯・本願発明
　本願は、平成１２年５月２９日の出願であって、平成１６年８月１７日に拒絶査定がされ、これに対して同年９月２２日に拒絶査定不服審判が請求され、これに対し、平成１９年２月２１日付で当審において拒絶理由が通知され、同年４月２５日付で意見書とともに手続補正書が提出されたものである。
　本願の請求項１に係る発明は、平成１９年４月２５日付の手続補正書により補正された特許請求の範囲の請求項１に記載されたものと認められるところ、その請求項１に記載された発明（以下、「本願発明」という。）は、次のとおりのものである。
「【請求項１】　原稿用紙が給紙される原稿給紙部と、前記原稿給紙部から前記原稿用紙を搬送路に１枚ずつ搬送する搬送ローラと、前記搬送路中に設けられた読取ガラスと、前記読取ガラス上を通過する前記原稿用紙を前記読取ガラスを透して読み取る読取装置と、前記原稿用紙が排出される原稿排出部を有した原稿読取装置において、前記読取ガラスの上面かつ前記読取装置の位置より搬送方向手前に、平面状のシート材を前記原稿用紙の読み取り面に対するクリーニング部材として貼り付け、前記クリーニング部材の位置より搬送方向手前に、前記原稿用紙を前記読取装置に送り込むためのガイドを備えていることを特徴とする原稿読取装置。」
　
２　引用例
　平成１９年２月２１日付で当審において通知された拒絶理由通知書で引用された特開平９−３０７６９５号公報（以下、「引用例」という。）には、次の事項が図面と共に開示されている。（記載箇所は段落番号等で表示）
　ア　「【特許請求の範囲】
【請求項１】　原稿用紙が載置される原稿載置台と、原稿用紙が排出される原稿排出台と、原稿載置台から原稿排出台まで原稿用紙を１枚ずつ搬送する原稿用紙搬送手段と、上記原稿搬送経路に沿って配設され、透明あるいは半透明の読取基準部材と、上記読取基準部材の上記原稿搬送経路とは反対側に配設され、上記読取基準部材を介して原稿用紙に読取光を照射すると共に、その原稿用紙による反射光を基に原稿用紙の画像を読み取る読取手段とを有し、上記原稿用紙を搬送しながら原稿画像を読み取る原稿読取装置において、上記読取光あるいは反射光が透過する読取基準部材の部位に原稿用紙を接触させない当接防止手段を設けたことを特徴とする原稿読取装置。
【請求項２】　当接防止部材は、所定の厚さを有する段差形成部材であり、読取基準部材の用紙搬送経路側の側面上に配設されていることを特徴とする請求項１記載の原稿読取装置。
【請求項３】　段差形成部材は、読取手段により光学的に読取が行われる読取基準部材の読取面よりも、原稿用紙の搬送方向上流側に配設されていることを特徴とする請求項２記載の原稿読取装置。」
　イ　「【００１６】上記原稿用紙搬送手段は、原稿載置台から原稿排出台まで原稿用紙を１枚ずつ搬送することができるものであればよく、例えば、原稿載置台から原稿排出台まで配列された複数の搬送ロールで構成することができる。なお、原稿搬送経路とは、上記原稿用紙搬送手段により原稿載置台と原稿排出台との間に設定された原稿用紙の搬送経路を意味する。
【００１７】上記読取基準部材は、上記原稿搬送経路に沿って配設され、透明あるいは半透明の材料で形成されたものであればよく、例えば、長尺な平板形状に形成された読取ガラスがある。
【００１８】（略）
【００１９】上記当接防止手段は、上記読取光あるいは反射光が透過する読取基準部材の部位に原稿用紙を接触させないように機能するものであればよく、例えば、上記原稿搬送経路の上記読取基準部材とは反対側に配設され、静電吸引力や空気の負圧で原稿用紙を吸引する用紙吸引部材で構成したり、上記読取基準部材と原稿搬送経路との間であって、上記読取光あるいは反射光が透過する読取基準部材の部位と上記原稿搬送経路との間以外に配設され、読取基準部材の原稿搬送経路側の側面との間に段差を形成する段差形成部材で構成することができる。
【００２０】上記段形成部材は、読取基準部材の原稿搬送経路側の側面との間に段差を形成できるものであればよく、例えば、所定の厚さを有する板材を上記読取基準部材上に配設すればよい。なお、当該板材は、読取基準部材とは別体に成形されて当該読取基準部材上に貼着されることで読取基準部材上に配設されていても、読取基準部材と一体に成形されて読取基準部材上に配設されていてもよい。」
　ウ　「【００４６】実施例１
図１０に、本発明を適用したデジタル複写機を示す。上記デジタル複写機は、原稿用紙Ｐｓが載置され、当該原稿用紙Ｐｓの画像をプラテン方式あるいはＣＶＴ方式で画像情報として読み取る原稿読取部と、上記画像情報を記憶する画像記憶部と、当該画像記憶部に記憶された画像情報に基づいて記録用紙Ｐｏに画像を形成する画像形成部とからなる。
【００４７】上記原稿読取部は、複写機本体に配設され原稿用紙Ｐｓの画像を光学的に読み取る読取系手段と、当該複写機本体の上面に対して開閉可能に配設された自動原稿送り手段とからなる。
【００４８】上記読取系手段は、複写機本体の上面に配設されたプラテンガラス１６と、当該プラテンガラス１６の一端側に並設された読取ガラス１と、当該読取ガラス１の下をホームポジションとし、上記プラテンガラス１６の他端側まで移動可能に配設された第一キャリッジ１７と、当該第一キャリッジ１７と連動して移動する第二キャリッジ１８と、上記第一キャリッジ１７のホームボジションの下に配設されたＣＣＤセンサ１９とを有する。また、上記第一キャリッジ１７には、照明ランプと反射板とからなり、原稿用紙Ｐｓに照射光を照射する照明部材１７ａと、当該照射光の原稿用紙Ｐｓによる反射光を反射する第一ミラー１７ｂとが配設され、上記第二キャリッジ１８には、当該第一ミラー１７ｂにより反射された光を上記ＣＣＤセンサ１９に入射させる第二ミラー及び第三ミラーが配設されている。なお、以下において、上記ホームポジションにおいて照明部材１７ａから発せられたあと原稿用紙Ｐｓで反射し、上記各ミラーで反射されてＣＣＤセンサ１９に入射される光が、読取ガラス１の上面と交わる部位全体を読取面Ｓと呼ぶ。また、ＣＣＤセンサ１９の焦点に対応する読取面Ｓ内の位置を読取面Ｓの中心と呼ぶ（図１２内の一点鎖線と読取ガラス１とが交わる位置である）。
【００４９】上記自動原稿送り手段は、上記複写機本体に開閉可能に配設された送り手段フレーム８と、当該送り手段フレーム８の上記プラテンガラス１６に対向する位置に配設され、白色の表面を有するプラテンガラスカバー１５と、上記送り手段フレーム８の上面側に配設され、複数の原稿用紙Ｐｓが載置できる原稿載置トレイ１４と、当該原稿載置トレイ１４から原稿用紙Ｐｓを１枚ずつ搬入し、上記読取ガラス１上を通過させた後上記送り手段フレーム８の上面上に排出する原稿用紙送り部材とを有する。なお、図１０において、１１は原稿載置トレイ１４から原稿用紙Ｐｓを引き込むピックアップロール、１２は読取ガラス１に原稿用紙Ｐｓを送り込むレジロール、１３は原稿用紙Ｐｓを送り手段フレーム８上に排出する排出ロール、１０は上流側シュート、９は下流側シュートであり、これらは全て上記原稿用紙送り部材であって上記送り手段フレーム８に配設されている。」
　エ　「【００６０】そして、本実施例では、乾燥していない修正液が塗布されている原稿用紙Ｐｓを上記デジタル複写機で読み取った。その結果、上記デジタル複写機では、段差形成部材２ａには上記修正液が多量に付着してしまったが、読取面Ｓには全く付着しなかった。また、当該読取が終了した後、通常の原稿用紙Ｐｓを上記デジタル複写機で読み取らせたところ、白筋や黒筋による画質欠陥は生じなかった。」
　前掲アないしエの記載によると引用例には、「原稿用紙が載置される原稿載置台と、原稿載置台から原稿排出台まで原稿用紙を１枚ずつ搬送する、原稿載置台から原稿排出台まで配列された複数の搬送ロールで構成される原稿用紙搬送手段と、上記原稿搬送経路に沿って配設され読取ガラスで構成される読取基準部材と、上記読取基準部材の上記原稿搬送経路とは反対側に配設され、上記読取基準部材を介して原稿用紙に読取光を照射すると共に、その原稿用紙による反射光を基に原稿用紙の画像を読み取る読取手段と、原稿用紙が排出される原稿排出台と、を有した原稿読取装置において、読取基準部材の用紙搬送経路側の側面上、読取面よりも原稿用紙の搬送方向上流側に所定の厚さを有する板材からなる段差形成部材２ａを貼着し、上流側シュート１０を備えた原稿読取装置。」の発明（以下、「引用発明」という。）が記載されていると認められる。
　
３　対比
　本願発明と引用発明とを対比する。
　引用発明と本願発明とはいずれも同じ「原稿読取装置」に関するものである。
　「搬送ロール」と「搬送ローラ」とは単に表現上の差異であるから、引用発明の「原稿用紙が載置される原稿載置台」、「原稿載置台から原稿排出台まで原稿用紙を１枚ずつ搬送する、原稿載置台から原稿排出台まで配列された複数の搬送ロールで構成される原稿用紙搬送手段」、「原稿搬送経路に沿って配設され読取ガラスで構成される読取基準部材」、「読取基準部材の原稿搬送経路とは反対側に配設され、読取基準部材を介して原稿用紙に読取光を照射すると共に、その原稿用紙による反射光を基に原稿用紙の画像を読み取る読取手段」及び「原稿用紙が排出される原稿排出台」は、本願発明の「原稿用紙が給紙される原稿給紙部」、「原稿給紙部から原稿用紙を搬送路に１枚ずつ搬送する搬送ローラ」、「搬送路中に設けられた読取ガラス」、「読取ガラス上を通過する前記原稿用紙を前記読取ガラスを透して読み取る読取装置」及び「原稿用紙が排出される原稿排出部」にそれぞれ相当するといえる。
　前掲エの箇所に記載されているとおり引用発明の「段差形成部材２ａ」は、原稿用紙の読み取り面に対するクリーニング部材としての機能を持つといえる。
　また、読取面は読取装置の位置といえるから、引用発明の「読取基準部材の用紙搬送経路側の側面上、読取面よりも原稿用紙の搬送方向上流側に」は、「読取ガラスの上面かつ読取装置の位置より搬送方向手前に」といえ、さらに、「所定の厚さを有する板材」を「貼着」することは、「平面状のシート材」を「貼り付け」ることといえるから、引用発明は、「読取ガラスの上面かつ前記読取装置の位置より搬送方向手前に、平面状のシート材を原稿用紙の読み取り面に対するクリーニング部材として貼り付け」ているといえる。
　前掲ウの記載と図１０及び図１２を参照すると、引用発明の「上流側シュート１０」は、原稿用紙Ｐｓを読取ガラス１の読取面Ｓへ送り込むための部材で、クリーニング部材として機能する段差形成部材２ａの位置より搬送方向手前に設けられていることは当業者にとって明らかであり、かつ、原稿用紙を読取ガラス１の読取面Ｓへ送り込むことは、原稿用紙を読取装置に送り込むことといえるから、引用発明は、「クリーニング部材の位置より搬送方向手前に、原稿用紙を読取装置に送り込むための」上流側シュート１０を備えているといえる。
　
　以上を踏まえると、両者の一致点、相違点は以下のとおりである。
【一致点】
　原稿用紙が給紙される原稿給紙部と、前記原稿給紙部から前記原稿用紙を搬送路に１枚ずつ搬送する搬送ローラと、前記搬送路中に設けられた読取ガラスと、前記読取ガラス上を通過する前記原稿用紙を前記読取ガラスを透して読み取る読取装置と、前記原稿用紙が排出される原稿排出部を有した原稿読取装置において、前記読取ガラスの上面かつ前記読取装置の位置より搬送方向手前に、平面状のシート材を前記原稿用紙の読み取り面に対するクリーニング部材として貼り付けた原稿読取装置。
【相違点】
　本願発明が、クリーニング部材の位置より搬送方向手前に、原稿用紙を読取装置に送り込むための構成として「ガイド」を備えているのに対し、引用発明が「上流側シュート１０」を備えている点。
　
４　当審の判断
　上記相違点について検討する。
　原稿用紙を読取装置に送り込むための構成として「ガイド」を用いることは、原稿用紙を搬送して読み取る原稿読取装置が属する技術分野において周知技術であるから、引用発明において「上流側シュート１０」に代えて前記周知技術を適用し、「クリーニング部材の位置より搬送方向手前に、原稿用紙を読取装置に送り込むためのガイドを備え」ることは当業者が容易に想到し得ることといえる。
　また、本願発明の奏する効果を検討してみても、引用例に記載された発明、及び前記周知技術から想定される範囲を越える格別なものとはいえない。
　
５　結論
　以上のとおり、本願発明は、引用例に記載された発明、及び前記周知技術に基づいて当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。